(57)【要約】【課題】  狭い場所に配線された既設ケーブル類に妨げられることなく、光ケーブルの接続・分岐点を簡単に設置する。【解決手段】  このスプライスボックス１は、壁面に取り付けられる本体２と、本体２を前面側から覆うカバー３とを備え、全体が縦長のダクト形に構成されている。本体２は、横断面略コ字形に折り曲げられ、前面を配線部６としたベース７と、ベース７の幅方向両側縁から設置面に向かって突出する一対の取付脚８とを一体的に備えている。取付脚８の間にはスペース１８が本体２の全長にわたって延びるように形成され、このスペース１８に既設の電気・通信ケーブル類１０４が収められる。【選択図】        図１
2007178777.tif 000002
【特許請求の範囲】
【請求項１】
壁面等の設置面に取り付けられる本体と、本体を前面側から覆うカバーとを備え、本体の前面を光ケーブルの配線部とし、本体の背面に相対向する一対の取付脚を突設し、取付脚の間に既設ケーブル類を収めるスペースを形成したことを特徴とするダクト型スプライスボックス。
【発明の詳細な説明】
【技術分野】
【０００１】
本発明は、光ケーブルの配線経路上に接続・分岐点を設置するためのスプライスボックス、特に、既設の電気・通信ケーブル類を収める機能を備えたダクト型スプライスボックスに関する。
【背景技術】
【０００２】
従来、図９に示すような壁掛け型のスプライスボックスが知られている。このスプライスボックス５１は、建物の壁面に取り付けられる本体５２に鉄板製の配線ベース５３をネジ５４で取り付け、配線ベース５３を覆うカバー５５を本体５２に組み付けて構成されている。なお、これと略同じ構造のスプライスボックスが特許文献１に記載されている。
【特許文献１】米国特許出願公開第２００３／０２０５３９６号明細書
【発明の開示】
【発明が解決しようとする課題】
【０００３】
ところが、従来のスプライスボックス５１は、本体５２の背面全体が壁面に接合するため、設置予定の狭い場所に既に電気・通信ケーブル類が配線されていると、スプライスボックス５１の設置スペースを確保できない場合があった。こうした場合、既設ケーブル類を脇へ除けたり、スプライスボックス５１の設置場所を変えたりする必要があり、光ケーブルの接続・分岐点の設置作業に手間がかかる問題点があった。
【０００４】
そこで、本発明の目的は、狭い場所であっても、既設ケーブル類に妨げられることなく、光ケーブルの接続・分岐点を簡単に設置できるダクト型スプライスボックスを提供することにある。
【課題を解決するための手段】
【０００５】
上記の課題を解決するために、本発明のダクト型スプライスボックスは、壁面等の設置面に取り付けられる本体と、本体を前面側から覆うカバーとを備え、本体の前面を光ケーブルの配線部とし、本体の背面に相対向する一対の取付脚を突設し、取付脚の間に既設ケーブル類を収めるスペースを形成したことを特徴とする。
【０００６】
上記ダクト型スプライスボックスにおいて、好ましくは、次のような構成を採用することができる。
（ａ）本体を横断面略コ字形に形成し、本体に前面を配線部としたベースと、ベースの幅方向両側縁から設置面に向かって突出する一対の取付脚とを設けること。
（ｂ）本体を横断面略コ字形に折り曲げ、ベースと取付脚とを一体的に形成すること。
【０００７】
（ｃ）ベースに既設ケーブル類を本体背面側のスペースから本体前面側の配線部へ引き出す開口部を形成すること。
（ｄ）開口部と同じ位置において、取付脚に本体を設置面に固定するためのネジを通す取付穴を設けること。
（ｅ）複数の本体を奥行方向に積み重ね、最上段の本体にカバーを被せ、最下段の本体の取付脚の間に既設ケーブル類を収めるスペースを形成すること。
【０００８】
（ｆ）配線部に光ケーブルを把持するグリップ部材を設けること。
（ｇ）配線部にファイバー芯線の余長部を案内するガイド部材を設けること。
（ｈ）配線部にファイバー芯線の融着スリーブを保持するホールド部材を設けること。
（ｉ）配線部に丸型光ケーブルを挟持するクランプ部材を設けること。
【発明の効果】
【０００９】
本発明のダクト型スプライスボックスによれば、本体の背面側に既設ケーブル類を収めるスペースを確保したので、本体を既設ケーブル類に被せた状態で取り付けることができる。従って、狭い場所であっても、既設ケーブル類に妨げられることなく、光ケーブルの接続・分岐点を簡単に設置できる効果がある。
【発明を実施するための最良の形態】
【００１０】
以下、本発明の実施形態を図面に基づいて説明する。図１〜図４は実施例１のダクト型スプライスボックス１を示し、図５、図６は実施例２のダクト型スプライスボックス２１を示し、図７は実施例３のダクト型スプライスボックス３１を示し、図８は実施例４のダクト型スプライスボックス４１を示す。各実施例１〜４において、共通の部材は各図に同一の符号で示されている。
【実施例１】
【００１１】
実施例１のダクト型スプライスボックス１は、図１〜図４に示すように、建物の壁面、床面又は天井面等の設置面１００に取り付けられる本体２と、本体２を前面側から覆うカバー３とを備え、全体として縦長のダクト形に構成されている。カバー３は横断面コ字形に折曲成形され、上下左右の四箇所でクリップ４により本体２に取り外し可能に組み付けられている。カバー３の上下両端には、本体２との隙間をシールするゴム製のパッキン５が装着されている。
【００１２】
本体２はカバー３と同じ向きの横断面略コ字形に折曲成形され、前面を光ケーブル１０１の配線部６としたベース７と、本体２を設置面１００に取り付ける左右一対の取付脚８とを一体的に備えている。配線部６には、複数本の光ケーブル（ドロップケーブル）１０１を把持する上下一対のグリップ部材９と、ファイバー芯線１０２の余長部を案内する複数のガイド部材１０と、ファイバー芯線１０２上の融着スリーブ１０３を横向きに保持する上下複数段のホールド部材１１とが設けられ、これらの部材がベース７の前面適所に取り付けられている。
【００１３】
ベース７の上下両端にはカバー３のパッキン５に接合する別のパッキン１３が装着され、ベース７の左右両側縁に取付脚８が本体２の背面側で相対向して延びるように突設されている。取付脚８には設置面１００に接合する取付部１４が内側に折り曲げられ、取付部１４の複数箇所に取付穴１５が設けられている。取付穴１５と一致する位置においてベース７には開口部１６が形成され、開口部１６を通して取付穴１５に挿入した取付ネジ１７により、本体２が設置面１００に取り付けられる。
【００１４】
そして、左右の取付脚８の間にベース７と略同じ幅のスペース１８が本体２の全長にわたって延びるように形成され、このスペース１８に既設の電気・通信ケーブル類１０４を収めた状態で、本体２を設置面１００に取り付けできるように構成されている。また、図４に示すように、必要に応じ、一本又は数本の既設ケーブル類１０４をスペース１８からベース７の開口部１６を通して本体２の配線部６側へ引き出すこともできるようになっている。
【００１５】
上記構成のダクト型スプライスボックス１によれば、次のような効果が得られる。
（イ）本体２の背面側にスペース１８を確保したので、本体２を既設ケーブル類１０４に被せた状態で取り付けることができる。
（ロ）このため、既設ケーブル類１０４に妨げられることなく、建物の壁面や天井面等の狭い設置面１００に光ケーブル１０１の接続・分岐点を容易に設置できる。
（ハ）また、大量の通信ケーブルを扱うＭＤＦ（主配線盤）等の通信機器の周辺において、既設ケーブル類１０４を本体２のスペース１８に収めることで、スプライスボックス１を簡単に設備することもできる。
【００１６】
（ニ）本体２の配線部６に光ケーブル１０１を配線し、本体２のスペース１８に既設ケーブル類１０４を配線することで、ダクト型スプライスボックス１を二系統の配線機器として使用でき、既設ケーブル類１０４を保護するためのダクトを別途に設備する必要がなくなる。
（ホ）本体２を断面コ字形に折り曲げて、ベース７の前面を配線部６としたので、従来のような配線ベース５３（図９参照）を省いて、スプライスボックス１の筺体を本体２とカバー３との二部品で簡単かつ安価に製作できる。
（ヘ）本体２を縦長に形成したので、横幅を広げることなく、配線部６に多量のファイバー芯線１０２の余長部を整然と収納できる。
【実施例２】
【００１７】
実施例２のダクト型スプライスボックス２１では、図５、図６に示すように、本体２の配線部６に丸型光ケーブル１０５を挟持するクランプ部材２２が設けられている。クランプ部材２２はグリップ部材９，２３と隣接する位置においてベース７の上下両端部に取り付けられている。この構成によれば、ダクト型スプライスボックス２１の内部に丸型光ケーブル１０５を導入できるので、配線後にケーブル中間の任意箇所からファイバー芯線を引き落として、中間分岐作業を容易に行うことができる利点がある。また、ＳＺ撚りスロット構造の丸型光ケーブル１０５を、スロットを切断せずに、スプライスボックス２１の内部に貫通させることも可能である。
【００１８】
なお、図６に示すグリップ部材２３は、図５のグリップ部材９とは異なり、ベース７の一部を切り起こして形成され、光ケーブル（インドアケーブル）１０１を三段積みにして把持できるようになっている。また、ホールド部材２４は、図３に示すホールド部材１１とは異なり、ベース７上に縦長に配設され、ファイバー芯線１０２上の融着スリーブを縦向きに保持できるようになっている。２５は丸型光ケーブル１０５に張力を付与するテンション部材である。
【実施例３】
【００１９】
実施例３のダクト型スプライスボックス３１は、図７に示すように、二つの本体２Ａ，２Ｂを上下二段に積み重ね、上段の本体２Ａにカバー３を被せ、下段の本体２Ｂの取付脚８の間にスペース１８Ｂを設けて構成されている。この構成によれば、下段のスペース１８Ｂに既設ケーブル類１０４を収め、上段のスペース１８Ａに下段の本体２Ｂに配線した光ケーブルを収納できる。従って、本体２を二段、三段、四段と奥行方向に積み重ねることで、特に、大規模な通信設備において、限られた設置スペースに大量の光ケーブルを整然と収納できる利点がある。
【実施例４】
【００２０】
実施例４のダクト型スプライスボックス４１では、図８に示すように、上下一対の取付脚４３が本体４２と別体に設けられている。本体４２は横断面コ字形に折曲形成され、前面を配線部６としたベース４４と、ベース４４の左右両側縁に前方へ逆曲げされた一対の側壁４５とを備えている。取付脚４３は本体４２と逆向きの略コ字形に折曲形成され、本体４２の背面に溶接される接合部４６と、本体４２の背面側に相対向して突出する左右一対の脚部４７とを備えている。そして、脚部４７に本体４２を設置面に取り付ける取付部４８が設けられ、左右の脚部４７の間に既設ケーブル類を収めるスペース４９が形成されている。この構成によれば、本体４２を逆曲げ構造としたので、左右の側壁４５によりベース４４上の光ケーブルの広がり又は食み出しを規制できる利点がある。
【図面の簡単な説明】
【００２１】
【図１】本発明の実施例１のダクト型スプライスボックスを示す斜視図である。
【図２】図１のスプライスボックスの横断面図である。
【図３】図１のスプライスボックスの本体を部分的に示す正面図である。
【図４】図３の本体の上端部を拡大して示す斜視図である。
【図５】本発明の実施例２のダクト型スプライスボックスの本体を部分的に示す斜視図である。
【図６】図５のダクト型スプライスボックスの変更例を示す本体の全体的な正面図である。
【図７】本発明の実施例３のダクト型スプライスボックスを部分的に示す斜視図である。
【図８】本発明の実施例４のダクト型スプライスボックスの本体と取付脚とを示す斜視図である。
【図９】従来のスプライスボックスを示す斜視図である。
【符号の説明】
【００２２】
１    ダクト型スプライスボックス（実施例１）
２    本体
３    カバー
６    配線部
７    ベース
８    取付脚
１８    スペース
２１    ダクト型スプライスボックス（実施例２）
３１    ダクト型スプライスボックス（実施例３）
４１    ダクト型スプライスボックス（実施例４）
４２    本体
４３    取付脚
４５    側壁
４９    スペース
１００    設置面
１０１    光ケーブル
１０４    既設ケーブル類
【図１】
2007178777.tif 000003
【図２】
2007178777.tif 000004
【図３】
2007178777.tif 000005
【図４】
2007178777.tif 000006
【図５】
2007178777.tif 000007
【図６】
2007178777.tif 000008
【図７】
2007178777.tif 000009
【図８】
2007178777.tif 000010
【図９】
2007178777.tif 000011